【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
式１、
【化１】
2015042742.tif 000001
（式中、
ＲおよびＲ’は、水素原子、Ｃ１からＣ４アルキル、場合により１以上のヘテロ原子を含有するＣ１６からＣ７０の直鎖アルキル基；置換または非置換のＣ１０からＣ７０ヒドロカルビル尾部を有するカーバメート；置換または非置換のＣ１０からＣ７０ヒドロカルビル尾部を有するアミド；置換または非置換のＣ１０からＣ７０ヒドロカルビル尾部を有するアミン；置換または非置換のＣ１０からＣ７０ヒドロカルビル尾部を有するカルボキシレート；ならびにＣ１０からＣ７０の長鎖炭化水素骨格を含むポリマーからなる群から独立して選択される置換基であり、ＲおよびＲ’の少なくとも１つは、水素原子でもＣ１からＣ４アルキルでもなく、
Ｒ’’およびＲ’’’は、水素原子、Ｃ１からＣ６アルキル基またはハロゲンからなる群から独立して選択でき、
Ｘはスクアリン酸部分である）
の染料化合物であり、
前記染料化合物の特性が、７００ｎｍから１４００ｎｍの範囲の波長を有する放射を吸収することである、染料化合物。
【請求項２】
ＲおよびＲ’の少なくとも１つが、置換または非置換のＣ１０からＣ７０ヒドロカルビル尾部を有するカーバメート；置換または非置換のＣ１０からＣ７０ヒドロカルビル尾部を有するアミド；置換または非置換のＣ１０からＣ７０ヒドロカルビル尾部を有するアミン；置換または非置換のＣ１０からＣ７０ヒドロカルビル尾部を有するカルボキシレート；ならびにＣ１０からＣ７０の長鎖炭化水素骨格を含むポリマーからなる群から選択される、請求項１に記載の化合物。
【請求項３】
ＲおよびＲ’の少なくとも１つが、
式２：
【化２】
2015042742.tif 000002
（式中Ｒ２はＣ１からＣ４アルキル架橋であり、Ｒ４はＣ１５からＣ２２アルキルである）の置換基；である、請求項２に記載の化合物。
【請求項４】
ＲおよびＲ’の少なくとも１つが、式３：
【化３】
2015042742.tif 000003
（式中、Ｒ２はＣ１からＣ４アルキル架橋であり、Ｒ５はＣ１５からＣ２２アルキルである）の置換基である、請求項２に記載の化合物。
【請求項５】
ＲおよびＲ’の少なくとも１つが、Ｃ１６からＣ２０アルキルである、請求項２に記載の化合物。
【請求項６】
ＲおよびＲ’が、ｎ−ヘプタデシル及びｎ−オクタデシルからなる群から選択される、請求項１に記載の化合物。
【請求項７】
ワックス
樹脂、ならびに
式１：
【化４】
2015042742.tif 000004
（式中、
ＲおよびＲ’は、水素原子、Ｃ１からＣ４アルキル、場合により１以上のヘテロ原子を含有するＣ１０からＣ７０の直鎖、分岐型または環状アルキル基；置換または非置換のＣ１０からＣ７０ヒドロカルビル尾部を有するカーバメート；置換または非置換のＣ１０からＣ７０ヒドロカルビル尾部を有するアミド；置換または非置換のＣ１０からＣ７０ヒドロカルビル尾部を有するアミン；置換または非置換のＣ１０からＣ７０ヒドロカルビル尾部を有するカルボキシレート；ならびにＣ１０からＣ７０の長鎖炭化水素骨格を含むポリマーからなる群から独立して選択される置換基であり、ＲおよびＲ’の少なくとも１つは、水素原子でもＣ１からＣ４アルキルでもなく、
Ｒ’’およびＲ’’’は、水素原子、Ｃ１からＣ６アルキル基またはハロゲンからなる群から独立して選択でき、
Ｘはスクアリン酸部分である）
の染料化合物であり、前記染料化合物の特性が、７００ｎｍから１４００ｎｍの範囲の波長を有する放射を吸収し、さらに前記染料化合物がワックスに可溶性である染料化合物、
を含む、相変化インク組成物。
【請求項８】
ＲおよびＲ’の少なくとも１つが、１以上のヘテロ原子を含有する、Ｃ１６からＣ７０の直鎖アルキル基；置換または非置換のＣ１０からＣ７０ヒドロカルビル尾部を有するカーバメート；置換または非置換のＣ１０からＣ７０ヒドロカルビル尾部を有するアミド；置換または非置換のＣ１０からＣ７０ヒドロカルビル尾部を有するアミン；置換または非置換のＣ１０からＣ７０ヒドロカルビル尾部を有するカルボキシレート；ならびにＣ１０からＣ７０の長鎖炭化水素骨格を含むポリマーからなる群から選択される、請求項７に記載の組成物。
【請求項９】
ＲおよびＲ’の少なくとも１つが、
式２：
【化５】
2015042742.tif 000005
（式中Ｒ２はＣ１からＣ４アルキル架橋であり、Ｒ４はＣ１５からＣ２２アルキルである）の置換基である、請求項７に記載の相変化インク組成物。
【請求項１０】
ＲおよびＲ’の少なくとも１つが、式３：
【化６】
2015042742.tif 000006
（式中、Ｒ２はＣ１からＣ４アルキル架橋であり、Ｒ５はＣ１５からＣ２２アルキルである）の置換基である、請求項７に記載の相変化インク組成物。
【請求項１１】
ＲおよびＲ’の少なくとも１つが、Ｃ１６からＣ２０アルキルである、請求項７に記載の相変化インク組成物。
【請求項１２】
スクアリン酸と、式４：
【化７】
2015042742.tif 000007
（式中、
ＲおよびＲ’は、水素原子、Ｃ１からＣ４アルキル、場合により１以上のヘテロ原子を含有するＣ１６からＣ７０の直鎖アルキル基；置換または非置換のＣ１０からＣ７０ヒドロカルビル尾部を有するカーバメート；置換または非置換のＣ１０からＣ７０ヒドロカルビル尾部を有するアミド；置換または非置換のＣ１０からＣ７０ヒドロカルビル尾部を有するアミン；置換または非置換のＣ１０からＣ７０ヒドロカルビル尾部を有するカルボキシレート；ならびにＣ１０からＣ７０の長鎖炭化水素骨格を含むポリマーからなる群から独立して選択される置換基であり、ＲおよびＲ’の少なくとも１つは、水素原子でもＣ１からＣ４アルキルでもなく、
Ｒ’’およびＲ’’’は、水素原子、Ｃ１からＣ６アルキル基およびハロゲンからなる群から独立して選択される）
の第二の化合物とを反応させるステップを含む、相変化インク化合物の作製方法。
【請求項１３】
ＲおよびＲ’の少なくとも１つがＣ１６からＣ２０アルキルである、請求項１２に記載の方法。
【請求項１４】
式４の化合物が、１，８−ジアミノナフタレンとステアロンとを反応させるステップにより形成される、請求項１２に記載の方法。
【請求項１５】
式４の化合物が、イソシアネートと、式５：
【化８】
2015042742.tif 000008
（式中、Ｒ３は、水素原子、Ｃ１からＣ４アルキルおよびヒドロキシル基からなる群から選択され、Ｒ２は、Ｃ１からＣ４アルキル架橋から選択され、Ｒ’’およびＲ’’’は、請求項１２に定義されたとおりである）の化合物とを反応させるステップによって形成される、請求項１２に記載の方法。
【請求項１６】
前記イソシアネートがＯＣＮＲ８であり、Ｒ８が直鎖のＣ１６からＣ１９アルキルである、請求項１５に記載の方法。
【請求項１７】
式４の化合物が、カルボン酸と、式５：
【化９】
2015042742.tif 000009
（式中、Ｒ３は、水素原子、Ｃ１からＣ４アルキルおよびヒドロキシル基からなる群から選択され、Ｒ２は、Ｃ１からＣ４アルキル架橋から選択され、Ｒ’’およびＲ’’’は、請求項１２に定義されたとおりである）の化合物とを反応させるステップによって形成される、請求項１２に記載の方法。
【請求項１８】
前記カルボン酸がＲ１０ＣＯＯＨであり、Ｒ１０が直鎖のＣ１５からＣ１７アルキルである、請求項１７に記載の方法。
【請求項１９】
ＲおよびＲ’の少なくとも１つが、置換または非置換のＣ１０からＣ７０ヒドロカルビル尾部を有するカーバメート；置換または非置換のＣ１０からＣ７０ヒドロカルビル尾部を有するアミド；置換または非置換のＣ１０からＣ７０ヒドロカルビル尾部を有するアミン；置換または非置換のＣ１０からＣ７０ヒドロカルビル尾部を有するカルボキシレート；ならびにＣ１０からＣ７０の長鎖炭化水素骨格を含むポリマーからなる群から選択される、請求項１２に記載の方法。
【請求項２０】
ＲおよびＲ’の少なくとも１つが、置換または非置換のＣ１０からＣ７０ヒドロカルビル尾部を有するカーバメート；置換または非置換のＣ１０からＣ７０ヒドロカルビル尾部を有するアミド；置換または非置換のＣ１０からＣ７０ヒドロカルビル尾部を有するアミン；置換または非置換のＣ１０からＣ７０ヒドロカルビル尾部を有するカルボキシレート；ならびにＣ１０からＣ７０の長鎖炭化水素骨格を含むポリマーからなる群から選択される、請求項７に記載の相変化インク組成物。